(57)【要約】      （修正有）【課題】多機能のため厚い光ピックアップを用いても装置全体が厚くならないスリム型光ディスクドライブを提供する。【解決手段】光ディスクを回転させるスピンドルモーター１３０と光ディスクの半径方向に摺動される光ピックアップ１５０とが搭載できるように下方に突出された突出部２１０が形成されたデッキ１２０と、デッキ１２０が摺動可能に設置されて突出部２１０に対応して貫通された貫通部１８０が形成された下部ケース１１０と、貫通部１８０を塞ぐカバー２００とを含み、ＣＤ−ＲＷ機能またはＤＶＤ機能が付加された場合に貫通部１８０をカバー２００で塞ぐ。これにより光ディスクドライブの背面からＦＰＣ１７０が外部に露出されることが防止できる。また、貫通部１８０によって低下された下部ケース１１０の強度が補強できる。ＦＰＣ１７０をカバー２００に固定させてデッキ１２０が摺動される時、デッキ１２０と主制御ボード１６０とが連結できる。【選択図】図２
2004164839.tif 000002
【特許請求の範囲】
【請求項１】
光ディスクを回転させるスピンドルモーター及び前記光ディスクの半径方向に摺動される光ピックアップが搭載できるように下方に突出された突出部が形成されたデッキと、
前記デッキが摺動可能に設置され、前記突出部に対応して貫通された貫通部が形成された下部ケースと、
前記貫通部を塞ぐカバーと、を含むスリム型光ディスクドライブ。
【請求項２】
前記カバーの下面は前記下部ケースの下面に突出されないように設置されることを特徴とする請求項１に記載のスリム型光ディスクドライブ。
【請求項３】
前記カバーの厚さは前記下部ケースより薄いことを特徴とする請求項２に記載のスリム型光ディスクドライブ。
【請求項４】
前記貫通部の端部には前記カバーが載置される載置部が備えられ、
前記載置部の下面は前記下部ケースの下面から少なくとも前記カバーの厚さほど陥没されたことを特徴とする請求項１ないし請求項３のうち何れか１項に記載のスリム型光ディスクドライブ。
【請求項５】
前記カバーは前記載置部に接着されて固定されることを特徴とする請求項４に記載のスリム型光ディスクドライブ。
【請求項６】
前記カバーは前記載置部にスポット溶接によって固定されることを特徴とする請求項４に記載のスリム型光ディスクドライブ。
【請求項７】
前記デッキが摺動されることによって柔軟に折曲されながら前記光ピックアップを含んで前記デッキに設置される電気部品と前記下部ケースに設置された主制御ボードとを動的に連結するＦＰＣをさらに具備し、
前記ＦＰＣは、前記カバーに一部固定されることを特徴とする請求項１ないし請求項６のうち何れか１項に記載のスリム型光ディスクドライブ。
【請求項８】
前記ＦＰＣはＵ状であって、前記デッキ側に連結される第１連結部と前記主制御ボードに連結される第２連結部とが両端部に形成され、
前記ＦＰＣの前記第２連結部側が前記カバーに一部固定されることを特徴とする請求項７に記載のスリム型光ディスクドライブ。
【請求項９】
前記光ピックアップはＣＤ−ＲＯＭ再生機能及びＣＤ−ＲＷ記録／再生機能を兼ねることを特徴とする請求項１ないし請求項８のうち何れか１項に記載のスリム型光ディスクドライブ。
【請求項１０】
前記光ピックアップはＣＤ−ＲＯＭ再生機能とＣＤ−ＲＷ記録／再生機能及びＤＶＤ再生機能を兼ねることを特徴とする請求項１ないし請求項８のうち何れか１項に記載のスリム型光ディスクドライブ。
【発明の詳細な説明】
【技術分野】
【０００１】
本発明は、スリム型光ディスクドライブに関する。
【背景技術】
【０００２】
一般的に光ディスクドライブは、ＣＤ（ｃｏｍｐａｃｔ ｄｉｓｃ）またはＤＶＤ（ｄｉｇｉｔａｌ ｖｉｄｅｏ ｄｉｓｃ）などの光ディスクの書込み面にその半径方向に摺動される光ピックアップからビームを放射して情報を書き込むか、読み取る。特に、スリム型光ディスクドライブはノート型パソコンなどの携帯型機器に装着されるために非常に薄く製作される。
【０００３】
図１は、従来のスリム型光ディスクドライブを図示したものである。
【０００４】
図１を参照すれば、下部ケース１０にデッキ２０が摺動自在に設置される。デッキ２０には光ディスクＤを回転させるスピンドルモーター３０と、回転される光ディスクＤの半径方向に摺動されながら光ディスクＤにアクセスして情報を読み取るか、書き込む光ピックアップ５０が設置される。下部ケース１０には光ディスクドライブの作動を制御する主制御ボード６０が設置され、ＦＰＣ（ｆｌｅｘｉｂｌｅ ｐｒｉｎｔｅｄ ｃｉｒｃｕｉｔ）７０によってデッキ２０に設置された光ピックアップ５０及びスピンドルモーター３０と連結される。ＦＰＣ７０はデッキ２０が摺動されることによってデッキ２０と下部ケース１０間の空間で柔軟に折り畳まれるか、広がるようになる。このためにＦＰＣ７０の一部は下部ケース１０に接着される。
【０００５】
スリム型光ディスクドライブの場合に製品の厚さを薄めるためにデッキ２０は下部ケース１０と非常に狭い間隔をおいて摺動される。したがって、デッキ２０に搭載される光ピックアップ５０と、光ピックアップ５０を摺動させるためのモーター４０と、スピンドルモーター３０の厚さとは、光ディスクドライブの厚さを決定する重要な要件となる。もし、このような部品が厚くなれば、デッキ２０と下部ケース１０との上下間隔を維持するために光ディスクドライブ全体の厚さが厚くなりうるためである。
【０００６】
ところが、ＣＤ−ＲＯＭ（ｒｅａｄ−ｏｎｌｙ−ｍｅｍｏｒｙ）再生機能の他にＣＤ−ＲＷ（ｒｅａｄ−ｗｒｉｔｅ）の記録／再生機能かＤＶＤ再生機能を兼ねる場合には光ピックアップ５０が厚くて大きくなる。また、部品需給上、厚い部品を使用せざるを得ない場合も生じうる。この場合に、光ディスクドライブ全体の厚さを変化させないためにはデッキ２０と下部ケース１０間の上下空間を活用する。このために、デッキ２０で前記部品が設置される空間は下方に若干突出させうる。
【０００７】
しかし、デッキ２０と下部ケース１０間の空間は前述したように非常に狭いので、デッキ２０が摺動される時、突出された部分と下部ケース１０とが干渉されうる。この干渉を避けるための最も簡単な方法は下部ケース１０とデッキ２０との上下間隔を広めることであるが、このようにすれば、光ディスクドライブの厚さが厚くなる問題点がある。
【発明の開示】
【発明が解決しようとする課題】
【０００８】
本発明は前記した問題点を解決するために創出されたものであって、製品をスリム化するために与えられた空間を最大限に活用できるように改善されたスリム型光ディスクドライブを提供するのにその目的がある。
【課題を解決するための手段】
【０００９】
前述した目的を達成するための本発明のスリム型光ディスクドライブは、光ディスクを回転させるスピンドルモーターと前記光ディスクの半径方向に摺動される光ピックアップとが搭載されるように下方に突出された突出部が形成されたデッキと、前記デッキが摺動可能に設置され、前記突出部に対応して貫通された貫通部が形成された下部ケースと、前記貫通部を塞ぐカバーと、を含む。
【００１０】
ここで、前記カバーの下面は前記下部ケースの下面に突出されないように設置されるのが望ましく、前記カバーの厚さは前記下部ケースより薄いものを使用するのが望ましい。
【００１１】
また、前記貫通部の端部には前記カバーが載置される載置部が備えられ、前記載置部の下面は前記下部ケースの下面から少なくとも前記カバーの厚さほど陥没されているのが望ましい。前記カバーは前記載置部に接着されるかスポット溶接によって固定できる。
【００１２】
また、前記デッキが摺動されることによって柔軟に折曲されながら前記光ピックアップを含んで前記デッキに設置される電気部品と前記下部ケースに設置された主制御ボードとを動的に連結するＦＰＣをさらに具備し、前記ＦＰＣは、前記カバーに一部固定されうる。この時、前記ＦＰＣはＵ状であって、前記デッキ側に連結される第１連結部と前記主制御ボードに連結される第２連結部とが両端部に形成され、前記ＦＰＣの前記第２連結部側が前記カバーに一部固定されるのが望ましい。
【００１３】
前記光ピックアップはＣＤ−ＲＯＭ再生機能とＣＤ−ＲＷ記録／再生機能とを兼ねることができ、ＤＶＤ再生機能まで兼ねうる。
【発明の効果】
【００１４】
本発明によるスリム型光ディスクドライブによれば、次のような効果が得られる。
【００１５】
ＣＤ−ＲＷ機能またはＤＶＤ機能が付加された場合に、下部ケースに形成された貫通部をカバーで塞ぐことによって光ディスクドライブを厚くしなくても光ディスクドライブの背面かＦＰＣが外部に露出されることが防止できる。したがって、製品の外観品位が向上する。また、貫通部によって低下された下部ケースの強度が補強できる。
【００１６】
また、ＦＰＣをカバーに固定させることによってデッキが摺動される時、安定的にデッキと主制御ボードとが連結できる。
【発明を実施するための最良の形態】
【００１７】
以下、図面を参照しながら本発明の望ましい実施例を詳細に説明する。
【００１８】
図２は、本発明によるスリム型光ディスクドライブの一実施例を示した斜視図である。
【００１９】
図２を参照すれば、下部ケース１１０にデッキ１２０が図面の矢印Ａ方向に摺動自在に設置される。デッキ１２０が摺動される時、相互干渉されないように下部ケース１１０とデッキ１２０とは上下方向に若干離隔されている。デッキ１２０にはスピンドルモーター１３０と、光ピックアップ１５０と、駆動モーター１４０と、が設置される。スピンドルモーター１３０は光ディスクＤを回転させるものであって、その回転軸にターンテーブル１３１が設置されている。光ディスクＤはターンテーブル１３１に載置される。光ピックアップ１５０は光ディスクＤの半径方向に摺動されながら光ディスクＤの書込み面にアクセスして情報を書き込むか、再生する。駆動モーター１４０は光ピックアップ１５０を摺動させる。
【００２０】
下部ケース１１０には主制御ボード１６０が設置される。主制御ボード１６０は光ディスクドライブの作動を全体的に制御するものであって、ＦＰＣ１７０を通じて光ピックアップ１５０、スピンドルモーター１３０、駆動モーター１４０を含んでデッキ１２０に設置される電気部品と電気的に連結される。
【００２１】
一般的にＣＤ−ＲＯＭ再生機能の他にＣＤ−ＲＷ記録／再生機能またはＤＶＤ再生機能が付加されれば、光ピックアップ１５０の厚さが厚くなり、サイズも大きくなる。このように機能が付加された場合にも光ピックアップ１５０とスピンドルモーター１３０と駆動モーター１４０との設置空間と光ピックアップ１５０の摺動空間を確保するためにデッキ１２０で前記部品が設置される部分は下方に若干突出されるようになるが、図２の点線１２１はこの突出部２１０を表示するものである。突出部２１０は、その下面が下部ケース１１０の上面よりさらに下方に突出されないように形成するのが望ましい。このようにすれば、デッキ１２０と下部ケース１１０との上下空間をスピンドルモーター１３０と光ピックアップ１５０及び駆動モーター１４０のための空間として活用でき、光ディスクドライブを厚くしなくてもＣＤ−ＲＷ機能またはＤＶＤ機能が付加された光ディスクドライブが形成可能である。
【００２２】
設計上、突出部２１０が下部ケース１１０の上面まで突出されなかったとしても部品製作上の誤差、組立て誤差などによってデッキ１２０が摺動される時、下部ケース１１０と干渉される恐れがある。したがって、突出部２１０に対応する領域ほど下部ケース１１０を薄くして貫通させた貫通部１８０を形成することによってこの干渉が防止できる。
【００２３】
このように下部ケース１１０に貫通部１８０を形成することは、次のような問題点が誘発できる。第１に、光ディスクドライブの背面側が露出されてＦＰＣが外部に露出されるので、製品の品位面で望ましくない。第２に、下部ケースは製品を薄くするために０.４〜０.６ｍｍ程度の薄い鉄板またはアルミニウム板材を使用するが、干渉部位ほどが貫通されれば、構造的強度が落ちうる。第３に、ＣＤ−ＲＷ記録／再生機能かＤＶＤ再生機能を兼ねる場合には光ピックアップのサイズと摺動範囲とが大きくなるにつれて干渉部位が大きくなり、これによって下部ケースで貫通される面積も大きくなる。ＦＰＣは安定的に一部が下部ケースに接着される必要があるが、この場合にはＦＰＣを接着する面積が不足する。
【００２４】
このような問題点を解決するために本実施例では貫通部１８０を塞ぐカバー２００を具備する。カバー２００は下部ケース１１０より薄い板材を使用するのが望ましい。そうでなければ、カバーを覆った時、下部ケース１１０の下面より下方に突出されて光ディスクドライブが厚くなりうるためである。
【００２５】
図３は、図２に示された下部ケースの平面図であって、図４は、図３のＩ−Ｉ’断面図である。
【００２６】
図３と図４とを見れば、突出部２１０の形状に沿って貫通部１８０が形成され、その端部には多数の載置部２２０が形成される。載置部２２０はカバー２００が載置される部分であって、貫通部１８０の端部から内側に延設される。載置部２２０の上面２２１は下部ケース１１０の上面１１１と同じ高さまたはそれより低いのが望ましい。また、その下面２２２は下部ケース１１０の下面１１２よりカバー２００の厚さほど高いのが望ましく、カバー２００と載置部２２０とを接着させて固定させる場合を考慮して接着剤の厚さほどさらに高く形成されるのがよさらに望ましい。カバー２００は載置部２２０の下面２２２に載置される。カバー２００と載置部２２０とは両面テープなどの接着剤で相互固定でき、スポット溶接によって相互固定されうる。このように、貫通部１８０をカバー２２０で塞ぐことによって光ディスクドライブを厚くせずにも光ディスクドライブの背面側が露出されることが防止できる。また、貫通部１８０によって下部ケース１１０の強度が低下されることをある程度防止できる。
【００２７】
ＦＰＣ １７０はそれぞれデッキ１２０と主制御ボード１６０とに連結される第１連結部１７１と第２連結部１７２とを有し、柔軟に折り畳まれる材質で製作される。本実施例のＦＰＣ １７０はＵ状に形成され、その端部にそれぞれ第１連結部１７１と第２連結部１７２とが形成される。第１連結部１７１はデッキ１２０に連結されるが、デッキ１２０にはスピンドルモーター１３０、駆動モーター１４０、光ピックアップ１５０を含む電気部品と連結された第２ＰＣＢ（図示せず）があってここに第１連結部１７１が連結されうる。また、スピンドルモーター１３０に連結された第３ＰＣＢ（図示せず）に光ピックアップ１５０と駆動モーター１４０とを含む電気部品が連結され、この第３ＰＣＢに第１連結部１７１が連結されうる。第２連結部１７２は主制御ボード１６０に備えられたコネクタ１６１に連結される。
【００２８】
ＦＰＣ １７０は、デッキ１２０と下部ケース１１０間の空間に位置される。デッキ１２０が下部ケース１１０上に完全に入っている状態であるローディング状態では、ＦＰＣ １７０は図４のＢに表示された状態のように第１連結部１７２に近い側が折曲されており、残りはほとんど広げられた状態となる。しかし、デッキ１２０が下部ケース１１０から摺動されて出てくる時には折曲される位置がデッキ１２０の摺動方向に連続的に変わる。デッキ１２０が完全にアンローディングされれば、図４のＣに表示された状態のようになる。このようにＦＰＣ １７０が動的に主制御ボード１６０とデッキ１２０とを連結するためにはＦＰＣ １７０の一部分が固定されねばならない。そうでなければ、デッキ１２０が摺動される時、ＦＰＣ １７０が全体的に浮き上がりながらデッキ１２０と下部ケース１１０との間に自然に折曲されて入らずに下部ケース１１０とデッキ１２０との間に挟まれてデッキ１２０の摺動動作を妨害するようになる。場合によってはＦＰＣ１７０が裂ける場合もある。したがって、ＦＰＣ １７０は第１連結部１７１と第２連結部１７２とがそれぞれデッキ１２０と主制御ボード１６０とに連結され、第２連結部１７２から若干離れた部分からＵ状の折曲部１７３までは両面テープなどの接着剤を使用してカバー２００に接着させる。図３の“Ｄ”部はカバー２００に接着されたＦＰＣ １７０を例示したものである。
【００２９】
このように、カバー２００は貫通部１８０を塞ぐことによってＦＰＣ １７０が貫通部１８０を通じて外部に露出されることを防止し、下部ケースの強度低下が最小化できるだけでなく、ＦＰＣ １７０を固定させる役割までも兼ねることによってデッキ１２０が摺動される時にもＦＰＣ １７０が安定的にデッキ１２０と主制御ボード１６０とが連結できるようにする。
【００３０】
本発明は前記に説明されて図面に例示されたものによって限定されることではなく、特許請求の範囲内でさらに多い変形及び変容例が可能であることはもとよりである。
【産業上の利用可能性】
【００３１】
本発明は光ディスクに光を照射して情報を記録／再生する光ディスクドライブ、特に、ノート型パソコンをはじめとする携帯型端末機に搭載されるスリム型光ディスクドライブに適用される。
【図面の簡単な説明】
【００３２】
【図１】従来のスリム型光ディスクドライブを示した平面図である。
【図２】本発明によるスリム型光ディスクドライブの一実施例を示した斜視図である。
【図３】図２に示された下部ケースの平面図である。
【図４】図３のＩ−Ｉ’断面図である。
【符号の説明】
【００３３】
１１０    下部ケース
１２０    デッキ
１２１    点線
１３０    スピンドルモーター
１３１    ターンテーブル
１４０    駆動モーター
１５０    光ピックアップ
１６０    主制御ボード
１６１    コネクタ
１７０    ＦＰＣ
１７１    第１連結部
１７２    第２連結部
１７３    折曲部
１８０    貫通部
２００    カバー
２１０    突出部
【図１】
2004164839.tif 000003
【図２】
2004164839.tif 000004
【図３】
2004164839.tif 000005
【図４】
2004164839.tif 000006